(57)【要約】【課題】      携行する釣用バックに餌付けなどで釣竿が保持し易い手段を設けた釣用バックを提供することである。【解決手段】  釣用バック１の本体２の後壁２ｂに竿尻保持部４、５やポケットからなる竿尻保持部２７が固定されて釣竿２４の竿尻が保持可能である。  本体２の側壁２ｃの左右両側にはＤ環１６が取り付けられてＤ環１６にショルダ−ベルト７が取り付けられ、ショルダ−ベルト７のベルト７ａの長さの中程より前側に横向きにＤ環２２が取付片で取り付けられ、Ｄ環２２には釣竿支持用ベルト８の一端が取り付けられ、釣竿支持用ベルト８の他端にはＤ環２３に取り付けられ、Ｄ環２３は釣竿保持部９に取り付けられ、釣竿保持部９は細長い帯状に形成されて釣竿２４の外周に巻回されて係止されている。【選択図】        図１
2009232703.tif 000002
【特許請求の範囲】
【請求項１】
釣用バックのショルダ−ベルトに釣竿支持用ベルトの一端を取り付けると共に釣竿支持用ベルトの他端に釣竿保持部を設けたことを特徴とする釣用バック。
【請求項２】
釣竿保持部は釣竿に巻回して保持するバンドであることを特徴とする請求項１に記載の釣用バック。
【請求項３】
釣用バックの本体に釣竿の竿尻側を保持する竿尻保持部を設けたことを特徴とする請求項１に記載の釣用バック。
【発明の詳細な説明】
【技術分野】
【０００１】
本発明は、釣竿を保持可能な釣用バックに関する。
【背景技術】
【０００２】
従来川の中に入って釣を行うとき餌付けなどで釣竿を置くところがないので、釣竿を腕に挟んで保持するため不安定であったり、釣場を移動する時は釣竿を手に持って歩くため手があかないという不都合があった。
他方釣行きには釣用バックを携行するが、従来の釣用バックは特許文献１のようにハンドルベルトとショルダ−ベルトが取り付けられているが釣竿を取り付ける手段は設けられていなかった。
【特許文献１】特実２０００−２１７４９１号公報
【発明の開示】
【発明が解決しようとする課題】
【０００３】
解決しようとする問題点は、川の中に入って釣を行うとき餌付けなどで釣竿を保持するところがなく、携行する釣用バックには釣竿を取り付ける手段は設けられていなかった。
【０００４】
本発明の目的は前記欠点に鑑み、携行する釣用バックに餌付けなどで釣竿が保持し易い手段を設けた釣用バックを提供することである。
【課題を解決するための手段】
【０００５】
本発明の請求項１は、釣用バックのショルダ−ベルトに釣竿支持用ベルトの一端を取り付けると共に釣竿支持用ベルトの他端に釣竿保持部を設けたことを要旨とするものである。
本発明の請求項２は、釣竿保持部は釣竿に巻回して保持するバンドであることを要旨とするものである。
本発明の請求項３は、釣用バックの本体に釣竿の竿尻側を保持する竿尻保持部を設けたことを要旨とするものである。
【発明の効果】
【０００６】
本発明の請求項により、釣用バックの本体に設けられた竿尻保持バンドとなる竿尻保持部で釣竿の竿尻を保持したり、ショルダ−ベルトに取り付けた釣竿支持用ベルトに釣竿の前側に巻回した釣竿保持部を取り付けて釣竿を保持しているので安定して保持出来るから餌付けなどの作業が容易になる。
更に竿尻保持部で釣竿の竿尻を保持すると共に釣竿支持用ベルトで釣竿の前側を保持しているので釣場の移動も容易になる。
【発明を実施するための最良の形態】
【０００７】
釣用バック１の本体２の後壁２ｂの開口保持バンド３の左右には竿尻保持バンドとなる竿尻保持部４、５が固定されて竿尻保持部４、５の自由端の裏面には面ファスナ−１４、１５が固定され、面ファスナ−１４、１５は前壁２ａの面ファスナ−１２、１３に係合可能である。
本体２の側壁２ｃの左右両側にはＤ環１６が取付片１７で取り付けられてＤ環１６に回転部材６を介してショルダ−ベルト７が取り付けられている。
回転部材６はショルダ−ベルト７の長手方向を軸として回転可能に形成され、ショルダ−ベルト７のよじれを取るために設けられ、回転部材６はナス環１８とショルダ−ベルト７のベルト７ａを通す掛け部１９と、ナス環１８と掛け部１９を回転自在にピン軸２０で係合して構成されている。
ショルダ−ベルト７にはベルト７ａの長さを調整する調整環２１が設けられる。
ショルダ−ベルト７のベルト７ａの長さの中程より前側に横向きにＤ環２２が取付片で取り付けられている。
Ｄ環２２にはショルダ−ベルト７より幅狭の釣竿支持用ベルト８の一端が回転部材６′を介して取り付けられている。
釣竿支持用ベルト８の他端には回転部材６′を介してＤ環２３に取り付けられ、Ｄ環２３は取付片で竿尻保持バンドとなる釣竿保持部９に取り付けられている。
釣竿保持部９は細長い帯状に形成されて釣竿２４の外周に巻回され、面ファスナ−（フック状の雄ファスナ−）２５を釣竿保持部９の素材表面に形成したル−プ状繊維（雌ファスナ−）に係止して止められている。
各取付片と釣竿保持部９は皮革や合成樹脂シ−トやクロロプレ−ンなどのゴムやネオプレ−ン等で構成されている。
回転部材６′は前記回転部材６と同型同機能である。
釣竿２４にはリ−ル２６が装着されている。
釣用バック１の本体２の前壁２ａには図４のようにポケットからなる竿尻保持部２６が設けられている。
【実施例１】
【０００８】
以下、図示の実施例によって本発明を説明すると、図１から図５は第１実施例で図１は釣人が釣竿を保持した釣用バックを肩に掛けている側面斜視図、図２は釣用バックに釣竿を保持すると共に釣竿を分割した斜視図、図３はリ−ルを前側に突出させて釣竿を釣用バックに保持した斜視図、図４は釣用バックに竿尻保持部を設けて釣竿の竿尻を差し込んだ斜視図、図５は釣竿要部と釣竿巻回保持バンドの斜視図である。
【０００９】
釣用バック１の本体２は、塩化ビニ−ル、エチレン酢酸ビニ−ル等の合成樹脂のシ−トを溶着や縫着等でつなぎ合わせて形成し、合成樹脂のシ−トは、厚さ３ｍｍ以下の柔軟性を有するものが用いられ、容易に歪んで、手で折り曲げても元に戻る程度のしなやかさを有し、又、防水性を有して通気性を有しない。
本体２は前壁２ａと後壁２ｂと側壁２ｃの上部は重ねて巻回可能に構成されて巻回することで開口が閉じられる。
開口を閉じて置くために後壁２ｂに開口保持バンド３が固定されて開口保持バンド３の自由端の裏面には面ファスナ−１０が固定されている。
前壁２ａの中央には面ファスナ−１１が固定されて開口保持バンド３の面ファスナ−１０が係合される。
【００１０】
前壁２ａの面ファスナ−１１の左右には面ファスナ−１２、１３が固定されている。
後壁２ｂの開口保持バンド３の左右には開口保持バンド３と同型の竿尻保持バンドとなる竿尻保持部４、５が固定されて竿尻保持部４、５の自由端の裏面には面ファスナ−１４、１５が固定されている。
面ファスナ−１４、１５は前壁２ａの面ファスナ−１２、１３に係合可能である。
本体２の側壁２ｃの左右両側にはＤ環１６が取付片１７で取り付けられてＤ環１６に回転部材６を介してショルダ−ベルト７が取り付けられている。
回転部材６はショルダ−ベルト７の長手方向を軸として回転可能に形成され、ショルダ−ベルト７のよじれを取るために設けられ、回転部材６はナス環１８とショルダ−ベルト７のベルト７ａを通す掛け部１９と、ナス環１８と掛け部１９を回転自在にピン軸２０で係合して構成されている。
ショルダ−ベルト７にはベルト７ａの長さを調整する調整環２１が設けられる。
【００１１】
ショルダ−ベルト７のベルト７ａの長さの中程より前側に横向きにＤ環２２が取付片で取り付けられている。
ショルダ−ベルト７の上部の長さの中程にはショルダ−ベルト７より幅の狭い釣竿支持用ベルト８の一端が回転部材６′を介して取り付けられている。
ショルダ−ベルト７は上記Ｄ環２２に取り付けられる。
釣竿支持用ベルト８の他端には回転部材６′を介してＤ環２３に取り付けられ、Ｄ環２３は取付片で竿尻保持バンドとなる釣竿保持部９に取り付けられている。
釣竿保持部９は細長い帯状に形成されて釣竿２４の外周に巻回され、面ファスナ−（フック状の雄ファスナ−）２５を釣竿保持部９の素材表面に形成したル−プ状繊維（雌ファスナ−）に係止して止められている。
各取付片と釣竿保持部９は皮革や合成樹脂シ−トやクロロプレ−ンなどのゴムやネオプレ−ン等で構成されている。
回転部材６′は前記回転部材６と同型同機能である。
釣竿２４にはリ−ル２６が装着されている。
釣用バック１の本体２の前壁２ａには図４のようにポケットからなる竿尻保持部２７が設けられている。
【００１２】
川の中に入って釣を行い餌付けなど手を使う作業を行う時は図１、図２のように釣竿２４の竿尻側を釣用バック１の本体２の上部と開口保持バンド３の上に載せて竿尻保持バンドとなる竿尻保持部４、５で保持する。
更に釣竿２４に巻回した釣竿保持部９のＤ環２３とショルダ−ベルト７のＤ環２２の間に釣竿支持用ベルト８を取り付けて釣竿２４を保持する。
他の釣竿２４の保持方法としては図３のように、リ−ル２６をショルダ−ベルト７の前側に位置させて竿尻保持バンドとなる竿尻保持部４、５で竿尻を締め付けて保持してもよい。
この時釣竿支持用ベルト８は釣用バック１の本体２を釣人の腰に密着するように保持する胴ベルトとして活用してもよい。
更に他の釣竿２４の保持方法としては図４のように、釣用バック１の本体２の前壁２ａに設けたポケットからなる竿尻保持部２７に釣竿２４の竿尻を差し込んで釣竿支持用ベルト８を使用して保持してもよい。
【００１３】
前記のように釣り用ケ−ス１が構成されると、釣用バック１の本体２に設けられた竿尻保持バンドとなる竿尻保持部４、５で釣竿２４の竿尻を保持したり、ショルダ−ベルト７に取り付けた釣竿支持用ベルト８で釣竿２４の前側に巻回した釣竿保持部９を取り付けて釣竿を保持しているので安定して保持出来るから餌付けなどの作業が容易になる。
更に竿尻保持部４、５や竿尻保持部２７で釣竿２４の竿尻を保持すると共に釣竿支持用ベルト８で釣竿２４の前側を保持しているので釣場の移動も容易になる。
【００１４】
図６は釣竿に巻回した釣竿保持部の変形例で、図６は釣竿保持部の斜視図である。
【００１５】
図６では釣竿２４に巻回した釣竿保持部９′は皮革や合成樹脂シ−トやクロロプレ−ンなどのゴムやネオプレ−ン等で構成され、細長い帯状に形成されて釣竿２４の外周に二つ折りで巻回されて両端が重ねて面ファスナ−２８で係止されている。
釣竿保持部９′の端にはＤ環２３が固定されている。
Ｄ環２３とショルダ−ベルト７のＤ環２２の間に釣竿支持用ベルト８を取り付けて釣竿２４を保持する。
他の構成は前記第１実施例と略同一である。
【産業上の利用可能性】
【００１６】
本発明は釣用バック全般に利用できる。
【図面の簡単な説明】
【００１７】
【図１】第１実施例で、釣人が釣竿を保持した釣用バックを肩に掛けている側面斜視図である。
【図２】同釣用バックに釣竿を保持すると共に釣竿を分割した斜視図である。
【図３】同リ−ルを前側に突出させて釣竿を釣用バックに保持した斜視図である。
【図４】同釣用バックに竿尻保持部を設けて釣竿の竿尻を差し込んだ斜視図である。
【図５】同釣竿要部と釣竿巻回保持バンドの斜視図である。
【図６】釣竿に巻回した釣竿保持部の変形例で、釣竿保持部の斜視図である。
【符号の説明】
【００１８】
１  釣用バック
２  本体
７  ショルダ−ベルト
９、９′  釣竿保持部
８  釣竿支持用ベルト
２４  釣竿
４、５、２７  竿尻保持部
【図１】
2009232703.tif 000003
【図２】
2009232703.tif 000004
【図３】
2009232703.tif 000005
【図４】
2009232703.tif 000006
【図５】
2009232703.tif 000007
【図６】
2009232703.tif 000008